(57)【要約】【課題】本発明は、高強度で、ブリーディングの発生が少なく、前置養生を不要とし、蒸気養生時間を低減するコンクリート作製方法およびコンクリート作製システムならびにプレキャストコンクリートに関するものである。【解決手段】本発明のコンクリート作製方法において、第１のミキシング工程は、計量されたセメントをセメントペースト作製用ミキサーに入れた後、所定量の水および減水剤を水量調整弁を介して徐々に投入しながらミキシングを行う。第２のミキシング工程は、前記第１のミキシング工程によって作製されたセメントペーストに、所定量の水および減水剤が一度に投入され、ミキシングが行われる。第３のミキシング工程は、前記第２のミキシング工程において、所望の水および減水剤とセメントとが均質に混合されたセメントペーストと、用途に合った所定の粗骨材および細骨材とが本練り用ミキサーに入れられてミキシングが行われる。【選択図】図１
2010149348.tif 000002
【特許請求の範囲】
【請求項１】
計量されたセメントをセメントペースト用ミキサーに入れた後、所定量の水および減水剤を水量調整弁を介して投入しながらミキシングを行う第１のセメントペーストを作製する第１のミキシング工程と、
前記第１のミキシング工程によって作製されたセメントペーストに所定量の水および減水剤を一度に投入してミキシングを行う第２のセメントペーストを作製する第２のミキシング工程と、
前記第２のミキシング工程によって得られた第２のセメントペーストと、細骨材および粗骨材を本練り用ミキサーに入れてミキシングを行う第３のミキシング工程と、
前記第３のミキシング工程よって作製された生コンクリートを型枠に投入して固化するために養生を行う工程と、
から少なくともなることを特徴とするコンクリート作製方法。
【請求項２】
計量されたセメントをセメントペースト用ミキサーに入れた後、所定量の水および減水剤を水量調整弁を介して投入しながらミキシングを行う第１のセメントペーストを作製する第１のミキシング工程と、
前記第１のミキシング工程によって作製されたセメントペーストに所定量の水および減水剤を一度に投入してミキシングを行う第２のセメントペーストを作製する第２のミキシング工程と、
前記第２のミキシング工程によって得られたセメントペーストを次の工程に搬送する間に静置する静置工程と、
前記静置工程を経た後、前記第２のセメントペーストと、細骨材および粗骨材を本練り用ミキサーに入れてミキシングを行う第３のミキシング工程と、
前記第３のミキシング工程よって作製された生コンクリートを型枠に投入して固化するために養生を行う工程と、
から少なくともなることを特徴とするコンクリート作製方法。
【請求項３】
第１のミキシング工程および第２のミキシング工程は、弾力により揺動できるゴム製の混合槽を高速偏心回転させて、セメントペースト、水、および減水材を攪拌混合することを特徴とする請求項１または請求項２に記載されたコンクリート作製方法。
【請求項４】
前記水量調整弁は、第１および第２のミキシング工程に使用される回転用モータの負荷電流または負荷トルクを検出し、前記負荷電流または負荷トルクに基づいて開閉が制御されることを特徴とする請求項１から請求項３のいずれか１項に記載されたコンクリート作製方法。
【請求項５】
ポルトランドセメントを使用した場合、第１のミキシング工程に使用される水の量は、減水剤を使用しない場合、セメント重量に対して１８％から３０％、好ましくは、２２％から２６％、減水剤を使用する場合、セメント重量に対して１３％から２５％、好ましくは、１５％から２３％、を中心にして硬さが決められることを特徴とする請求項１から請求項４のいずれか１項に記載されたコンクリート作製方法。
【請求項６】
前記第１のミキシング工程、第２のミキシング工程、および第３のミキシング工程を一つの混合槽によって連続的に行うことを特徴とする請求項１から請求項５のいずれか１項に記載されたコンクリート作製方法。
【請求項７】
弾力性部材から構成され、セメントペーストを作製するためにダブルミキシングを行うセメントペースト作製用混合槽と、
前記セメントペースト作製用混合槽に入れる水および減水剤の量およびセメント量を計量する計量機構と、
前記セメントペースト作製用混合槽を偏心回転させる回転機構と、
前記セメントペースト作製用混合槽に水および減水剤を徐々に投入する水量調整弁と、
前記セメントペースト、細骨材、粗骨材を入れて攪拌する生コンクリート作製用混合槽と、
前記セメントペースト作製用混合槽および生コンクリート骨材作製用混合槽に対する回転制御と、前記水量調整弁の開閉制御を行う水・セメント比制御装置と、
から少なくとも構成されることを特徴とするコンクリート作製システム。
【請求項８】
前記セメントペースト作製用混合槽の下段には、細骨材および粗骨材とともに攪拌されるコンクリート本練り用混合槽が設けられていることを特徴とする請求項７に記載されたコンクリート作製システム。
【請求項９】
前記セメントペースト作製用混合槽の下段には、セメントペースト搬送手段が設けられ、前記セメントペーストが前記搬送手段の搬送を経て、細骨材および粗骨材とともに攪拌する生コンクリート本練り用混合槽に投入されることを特徴とする請求項７に記載されたコンクリート作製システム。
【請求項１０】
前記セメントペースト作製用混合槽および生コンクリート作製用混合槽は、弾力により揺動できるゴム製で、高速偏心回転が可能な共通混合槽であることを特徴とする請求項７から請求項９のいずれか１項に記載されたコンクリート作製システム。
【請求項１１】
前記水・セメント比制御装置は、セメントペースト作製用混合槽を駆動する駆動モータの負荷電流またはトルクを検出する検出手段と、前記セメントペースト作製用混合槽の回転駆動制御、および水量調整弁の開閉制御を行うマイクロコンピュータとを少なくとも備えていることを特徴とする請求項７から請求項１０のいずれか１項に記載されたコンクリート作製システム。
【請求項１２】
前記水・セメント比制御装置は、予めメモリにセメントの種類、骨材の混合割合と種類、コンクリートの強度が記憶されており、前記のそれぞれを設定することにより、前記セメントペースト作製用混合槽の回転駆動制御、および水量調整弁の開閉制御を行うことを特徴とする請求項７から請求項１１のいずれか１項に記載されたコンクリート作製システム。
【請求項１３】
前記水・セメント比制御装置は、運転中および運転完了の表示、およびメモリの記憶内容、前記セメントペースト作製用混合槽の回転駆動制御状態、および水量調整弁の開閉制御状態が表示される表示装置が設けられていることを特徴とする請求項７から請求項１２のいずれか１項に記載されたコンクリート作製システム。
【請求項１４】
請求項１から請求項１３に記載された生コンクリートを型枠に投入し、養生および／または蒸気養生を用いて作製されたプレキャストコンクリート。
【発明の詳細な説明】
【技術分野】
【０００１】
本発明は、高強度で、ブリーディングの発生が少なく、硬化時間が短縮されるコンクリート作製方法およびコンクリート作製システムならびにプレキャストコンクリートに関するものである。本発明は、コンクリートを混練する際に使用する水を２回に分割して混練する方法、いわゆるダブルミキシングにおいて、まず初めに、セメントペーストを最適な水量で混ぜることを特徴としている。本発明は、セメントと水等との混練に際し、水を最適量と所定の時間をかけて供給できるように制御することにより、セメント粒子間に働く水の表面張力、あるいは、毛管凝集力の作用により、表面積が最も小さくなり、一つに纏まった塊状の混練物が得られるようにしたコンクリート作製方法およびコンクリート作製システムならびにプレキャストコンクリートに関するものである。
【背景技術】
【０００２】
従来の生コンクリート作製技術は、水、セメント、細骨材、粗骨材等を一度にミキサに投入して混練している。コンクリートは、前記生コンクリートを打設した後、前記練り混ぜた水の一部が表面に浮いて出る、いわゆるブリーディングが発生することが多い。ブリーディングが多いと、コンクリート中の粗骨材、あるいは水平鉄筋の下側に空隙を作り、前記粗骨材とセメントペースト、あるいは粗骨材とモルタル、あるいは鉄筋とコンクリートの付着を悪くして、コンクリートの強度低下、あるいは、耐久性を低下する原因となる。そこで、従来のコンクリートは、単位水量の少ない硬練りのコンクリートをバイブレータによって密実に締め固める方法がとられている。また、最近では、前記ブリーディングを低減して、高強度化、高品質化を目的として、生コンクリート作製に際し、セメントと水等の混練を２回に分けたダブルミキシングが効果のあることが知られてきた。
【０００３】
また、たとえば、硬化時間の短縮を目的とした方法としては、特開２００６−３０５７４８号公報があり、先練りしたセメントペーストの静置と硬化促進剤の使用により、早期の脱型を可能とした方法である。しかし、前記製造方法による生コンクリートの作製方法は、セメントペーストの先練り工程において、最適な水とセメントの比率で混練していないため、セメントペーストの静置工程が１時間から２時間必要となり、作業工程上の負担となっていた。
【特許文献１】特開２００６−３０５７４８号公報
【発明の開示】
【発明が解決しようとする課題】
【０００４】
ダブルミキシング法において、セメントぺーストを作製する第１のミキシング工程は、セメントと水とを混ぜる際に、セメント粒子間に働く水の張力、あるいは、毛管凝集力の作用により、セメントボールが成形される。前記セメントボールは、混練に使用する水の量が少ない場合、特に、生じ易い。前記セメントボールの発生は、セメント粒子と水との均一な混練を阻害するため、ダブルミキシングの効果が半減する。そこで、セメントぺーストの作製は、前記セメントボールを砕き、均一なセメントぺーストを得るために、最適水量より水量過多で混練するしか方法がなかった。
【０００５】
また、シングルミキシングによるコンクリートの強度は、水とセメントとの比率（Ｗ／Ｃ）によって決まる。これに対して、ダブルミキシングによるコンクリート強度は、コンクリート全体としての水と、セメントとの比率（Ｗ／Ｃ）に基づくだけでなく、一次ミキシングにおける水とセメントの比率（Ｗ１／Ｃ）によっても影響がある。
【０００６】
以上のような課題を解決するために、本発明は、ダブルミキシングとするとともに、第１のミキシング工程において、混練の際の水の量と時間との関係を制御すること、および第１のミキシング工程における最適な水とセメントとの比率（Ｗ１／Ｃ）を検知して、混練することを可能としたことにより、セメントぺースト内にセメントボールができないようにしたコンクリート作製方法およびコンクリート作製システムならびにプレキャストコンクリートを提供することを目的とする。
【課題を解決するための手段】
【０００７】
（第１発明）
第１発明のコンクリート作製方法は、計量されたセメントをセメントペースト用ミキサーに入れた後、所定量の水および減水剤を水量調整弁を介して投入しながらミキシングを行う第１のセメントペーストを作製する第１のミキシング工程と、前記第１のミキシング工程によって作製されたセメントペーストに所定量の水および減水剤を一度に投入してミキシングを行う第２のセメントペーストを作製する第２のミキシング工程と、前記第２のミキシング工程によって得られた第２のセメントペーストと、細骨材および粗骨材を本練り用ミキサーに入れてミキシングを行う第３のミキシング工程と、前記第３のミキシング工程よって作製された生コンクリートを型枠に投入して固化するために養生を行う工程とから少なくともなることを特徴とする。
【０００８】
（第２発明）
第２発明のコンクリート作製方法は、計量されたセメントをセメントペースト用ミキサーに入れた後、所定量の水および減水剤を水量調整弁を介して投入しながらミキシングを行う第１のセメントペーストを作製する第１のミキシング工程と、前記第１のミキシング工程によって作製されたセメントペーストに所定量の水および減水剤を一度に投入してミキシングを行う第２のセメントペーストを作製する第２のミキシング工程と、前記第２のミキシング工程によって得られたセメントペーストを次の工程に搬送する間に静置する静置工程と、前記静置工程を経た後、前記第２のセメントペーストと、細骨材および粗骨材を本練り用ミキサーに入れてミキシングを行う第３のミキシング工程と、前記第３のミキシング工程よって作製された生コンクリートを型枠に投入して固化するために養生を行う工程とから少なくともなることを特徴とする。
【０００９】
（第３発明）
第３発明のコンクリート作製方法において、第１発明または第２発明における第１のミキシング工程および第２のミキシング工程は、弾力により揺動できるゴム製の混合槽を高速偏心回転させて、セメントペースト、水、および減水材を攪拌混合することを特徴とする。
【００１０】
（第４発明）
第４発明のコンクリート作製方法において、第１発明から第３発明の水量調整弁は、第１および第２のミキシング工程に使用される回転用モータの負荷電流または負荷トルクを検出し、前記負荷電流または負荷トルクに基づいて開閉が制御されることを特徴とする。
【００１１】
（第５発明）
第５発明のコンクリート作製方法において、たとえば、ＪＩＳ  Ｒ  ５２１０に規定される普通ポルトランドセメントを使用した場合、第１のミキシング工程に使用される水の量は、減水剤を使用しない場合、セメント重量に対して１８％から３０％、好ましくは、２２％から２６％、減水剤を使用する場合、セメント重量に対して１３％から２５％、好ましくは、１５％から２３％、を中心にして硬さが決められることを特徴とする。
【００１２】
（第６発明）
第６発明のコンクリート作製方法は、第１発明から第５発明において、第１のミキシング工程、第２のミキシング工程、および第３のミキシング工程を一つの混合槽によって連続的に行うことを特徴とする。
【００１３】
（第７発明）
第７発明のコンクリート作製システムは、弾力性部材から構成され、セメントペーストを作製するためにダブルミキシングを行うセメントペースト作製用混合槽と、前記セメントペースト作製用混合槽に入れる水および減水剤の量およびセメント量を計量する計量機構と、前記セメントペースト作製用混合槽を偏心回転させる回転機構と、前記セメントペースト作製用混合槽に水および減水剤を徐々に投入する水量調整弁と、前記セメントペースト、細骨材、粗骨材を入れて攪拌する生コンクリート作製用混合槽と、前記セメントペースト作製用混合槽および生コンクリート骨材作製用混合槽に対する回転制御と、前記水量調整弁の開閉制御を行う水・セメント比制御装置とから少なくとも構成されることを特徴とする。
【００１４】
（第８発明）
第８発明のコンクリート作製システムにおいて、第７発明のセメントペースト作製用混合槽の下段には、細骨材および粗骨材とともに攪拌されるコンクリート本練り用混合槽が設けられていることを特徴とする。
【００１５】
（第９発明）
第９発明のコンクリート作製システムにおいて、第７発明のセメントペースト作製用混合槽の下段には、セメントペースト搬送手段が設けられ、前記セメントペーストが前記搬送手段の搬送を経て、細骨材および粗骨材とともに攪拌する生コンクリート本練り用混合槽に投入されることを特徴とする。
【００１６】
（第１０発明）
第１０発明のコンクリート作製システムにおいて、第７発明から第９発明のセメントペースト作製用混合槽および生コンクリート作製用混合槽は、弾力により揺動できるゴム製で、高速偏心回転が可能な共通混合槽であることを特徴とする。
【００１７】
（第１１発明）
第１１発明のコンクリート作製システムにおいて、第７発明から第１０発明の水・セメント比制御装置は、セメントペースト作製用混合槽を駆動する駆動モータの負荷電流またはトルクを検出する検出手段と、前記セメントペースト作製用混合槽の回転駆動制御、および水量調整弁の開閉制御を行うマイクロコンピュータとを少なくとも備えていることを特徴とする。
【００１８】
（第１２発明）
第１２発明のコンクリート作製システムにおいて、第７発明から第１１発明の水・セメント比制御装置は、予めメモリにセメントの種類、骨材の混合割合と種類、コンクリートの強度が記憶されており、前記のそれぞれを設定することにより、前記セメントペースト作製用混合槽の回転駆動制御、および水量調整弁の開閉制御を行うことを特徴とする。
【００１９】
（第１３発明）
第１３発明のコンクリート作製システムにおいて、第７発明から第１２発明の水・セメント比制御装置は、運転中および運転完了の表示、およびメモリの記憶内容、前記セメントペースト作製用混合槽の回転駆動制御状態、および水量調整弁の開閉制御状態が表示される表示装置が設けられていることを特徴とする。
【００２０】
（第１４発明）
第１４発明のプレキャストコンクリートは、第１発明から第１３発明の生コンクリートを型枠に投入し、養生および／または蒸気養生を用いて作製されることを特徴とする。
【発明の効果】
【００２１】
本発明によれば、第１のミキシング工程において、混練の際に供給する水の量と、水を供給する時間との関係を制御することにより、セメントぺースト内にセメントボールが発生しないようにすると、セメント粒子間の内部空隙が減少するため、生コンクリートを打設した際にブリーディングの発生しないコンクリートとなる。
【００２２】
本発明によれば、ブリーディングの発生がないだけでなく、セメントぺースト内に強度上の欠陥となる内部空隙が減少し、さらに、ダブルミキシングの効果によりセメントの反応率が高まるため、強度および品質の高いコンクリートを得ることができる。
【００２３】
本発明によれば、セメントぺースト内にセメントボールが発生しないようにしたため、生コンクリートを打設した後の蒸気養生の前置き時間の省略または低減、さらに、蒸気養生、オートクレープ、温水養生等の促進養生の程度を軽減でき、所望のコンクリートとすることができる。
【００２４】
本発明によれば、生コンクリートを打設した後の蒸気養生が不要、あるいは短時間にすることができるようになったため、強度および品質の高いコンクリートが効率良く得られるだけでなく、安価なコンクリートを得ることができる。
【発明を実施するための最良の形態】
【００２５】
（第１発明）
第１発明のコンクリート作製方法は、セメントペーストを作製するため、第１のミキシング工程と第２のミキシング工程に分け、その後、骨材を入れて生コンクリートを作製する第３のミキシング工程を設け、前記第３のミキシング工程によって作製された生コンクリートを所定の形状をした枠型に投入し、必要な養生を行うことにより、コンクリートの強度を向上させると同時に、ブリーディングの発生しないコンクリートを得ることができる。第１のミキシング工程は、計量されたセメントをセメントペースト作製用ミキサーに入れた後、所定量の水および減水剤を水量調整弁を介して徐々に投入しながらミキシングを行う。前記第１のミキシング工程は、前記水量調整弁によって、所定量の水および減水剤を徐々に投入しながら、セメントを攪拌するため、セメントボールができず、水とセメントを均質に混合できる。
【００２６】
第２のミキシング工程は、前記第１のミキシング工程によって作製されたセメントペーストに、残された所定量の水および減水剤が一度に投入され、ミキシングが行われる。第３のミキシング工程は、前記第２のミキシング工程において、所望の水および減水剤とセメントとが均質に混合されたセメントペーストと、用途に合った所定の粗骨材および細骨材とが本練り用ミキサーに入れられてミキシングが行われる。本発明のコンクリート作製方法は、セメントペーストをダブルミキシングとすると同時に、前記水量調整弁により所定量の水をセメントボールができない程度に徐々に投入しながら、攪拌したため、コンクリートとなった場合に、強度が向上するとともに、ブリーディングの発生をなくすことができた。また、本発明のコンクリート作製方法は、前記生コンクリートを型枠に入れた後の蒸気養生法における前置き時間を省略または低減でき、さらに、蒸気養生、オートクレープ、温水養生等の促進養生の程度を軽減でき、所望のコンクリートとすることができる。
【００２７】
本発明のコンクリート作製方法は、水量調整弁によって、前記第１のミキシング工程において最適な水とセメントの比率で練り混ぜることにより、セメント粒子間に働く液体（水）の表面張力、あるいは、毛管凝集力の作用により、表面積が最も小さくなって一つに纏まる塊状の混練物が得られる。すなわち、セメントぺーストには、セメントボールが混入されておらず、粉体工学でいうキャピラリー領域の混練物となり、セメント粒子間の内部空隙が最も少ない状態となる。
【００２８】
（第２発明）
第２発明のコンクリート作製方法は、第２のミキシング工程と第３のミキシング工程の間に、前記第２のミキシング工程によって得られたセメントペーストを静置する静置工程を設けた点で第１発明と異なっている。前記静置工程は、前記第２のミキシング工程によって得られたセメントペーストを次の工程に搬送される間に静置される。前記静置工程は、セメントおよび水等の混合割合を適当にするとともに、所望の強度等を得るために、設けることができる。また、前記静置工程は、前記搬送装置を停止または搬送速度を可変することにより、所望の時間だけ静置することができる。
【００２９】
（第３発明）
第３発明のコンクリート作製方法は、第１発明および第２発明における第１のミキシング工程および第２のミキシング工程に使用する混合槽を弾力のあるゴム製とする。前記混合槽は、下部から底部がゴム製からなり、上部がたとえば金属製の筒体から構成されている。また、前記混合槽は、攪拌羽根を持たずに、高速で偏心回転させる。前記混合槽内の水とセメントは、高速偏心回転によって、下部から底部にかけて前記ゴムが伸び縮みし、また、セメントペーストが加速しランダム方向に揺動しながら短時間で混練を行うことができる。前記混練は、前記セメントと水および減水剤が上手に攪拌混合され、セメントボールができない、良質のセメントペーストを得ることができる。前記コンクリート作製方法は、セメントボールができないため、より高い強度が要求され、あるいは、ブリーディングを発生させないコンクリートが要求される場合に最適である。
【００３０】
（第４発明）
第４発明のコンクリート作製方法は、第１発明から第３発明における水量調整弁の制御に関するものである。前記水量調整弁は、第１および第２のミキシング工程に使用される回転用モータの負荷電流を検出し、前記検出された負荷電流が最大となった際に、閉じるように制御される。また、前記水量調整弁は、水等の供給を閉じるタイミングにより、所望の品質のセメントペーストを得ることができる。また、前記コンクリート作製方法は、第１発明から第３発明における水量調整弁の制御の仕方が第３発明と異なっている。前記水量調整弁は、第１および第２のミキシング工程に使用される回転用モータの負荷トルクを検出し、前記検出された負荷トルクが最大となった際に、閉じるように制御される。
【００３１】
（第５発明）
第５発明のコンクリート作製方法は、第１のミキシング工程に使用される水および減水材とセメントの量を規定している。たとえば、ＪＩＳ  Ｒ  ５２１０に規定される普通ポルトランドセメントを使用した場合、第１のミキシング工程に使用される水の量は、減水剤を使用しない場合、セメント重量に対して１８％から３０％、好ましくは、２２％から２６％、減水剤を使用する場合、セメント重量に対して１３％から２５％、好ましくは、１５％から２３％、を中心にして、多くまたは少なくすることにり、所望の用途に合った性質のものを得ることができる。
【００３２】
（第６発明）
第６発明のコンクリート作製方法は、第１発明から第５発明のミキシング工程を一つの混合槽によって連続的に行うことができる。第６発明は、セメント、水、減水剤、細骨材、粗骨材を所定量供給できるようにするとともに、これらの量を正確に制御できる装置を備えることにより、セメントからコンクリートが一貫して、迅速に、しかも品質の高いものを得ることができる。前記コンクリート作製方法は、第２のミキシング工程および第３のミキシング工程をまとめて練り混ぜることも可能である。
【００３３】
（第７発明）
第７発明のコンクリート作製システムは、セメントペースト作製用混合槽、水量およびセメント量計量機構、前記セメントペースト作製用混合槽の回転機構、水量調整弁、水・セメント比制御装置とから少なくとも構成されている。前記セメントペースト作製用混合槽は、槽全体がゴム等からなる弾力性部材で構成され、セメントペーストを作製するためにミキシングを二回に分けて行っている。前記水量およびセメント量計量機構は、二回のミキシングに使用される水量等およびセメント量を所望の量とするためのものである。
【００３４】
前記回転機構は、前記セメントペースト作製用混合槽を高速で偏心回転させるため、セメントと水等がランダムに混練され、セメントボールが発生しない。また、水量調整弁は、前記セメントペースト作製用混合槽に水および減水剤を徐々に注水できるようにしている。さらに、水・セメント比制御装置は、前記セメントペースト作製用混合槽の回転制御と、水量調整弁の開閉制御を行うことができる。本発明のコンクリート作製システムは、弾性材料からなるセメントペースト作製用混合槽、前記混合槽の高速偏心回転、水量調整弁から出る適度の単位時間当たりの水量の三つの条件が相まって、セメントボールのできないセメントペーストを得ることができる。そして、前記コンクリート作製システムによって得られたコンクリートは、強度が高く、ブリーディングの発生が少なく、型枠に入れた後の蒸気養生における前置き時間を省略、または短時間とすることができる。
【００３５】
（第８発明）
第８発明のコンクリート作製システムは、第７発明のセメントペースト作製用混合槽の下段に細骨材および粗骨材とともに攪拌される生コンクリート本練り用混合槽が設けられている。すなわち、第１のミキシング工程および第２のミキシング工程によって作製されたセメントぺーストは、前記セメントペースト作製用混合槽の下部から直接または間接的に生コンクリート本練り用混合槽に挿入される。
【００３６】
（第９発明）
第９発明のコンクリート作製システムは、セメントペースト作製用混合槽の下段にセメントペースト搬送手段が設けられている点で、第７発明と異なっている。ダブルミキシングが終了したセメントペーストは、前記搬送手段の搬送を経て、細骨材および粗骨材とともに生コンクリート本練り用混合槽に挿入される。前記搬送手段は、搬送される時間、速さ、停止時間等を任意に変えることができる。
【００３７】
（第１０発明）
第１０発明のコンクリート作製システムは、弾力により揺動できるゴム製で、高速偏心回転が可能な一つの共通混合槽によって、セメントからセメントペーストを作製し、その後、コンクリートを一貫作業により、作製することができる。前記一貫作業のコンクリートは、強度が高く、ブリーディングの発生が少なく、蒸気養生における前置き時間を省略、あるいは短時間とすることができる。
【００３８】
（第１１発明）
第１１発明のコンクリート作製システムは、水・セメント比制御装置として、駆動モータの負荷電流またはトルクを検出する検出手段と、セメントぺースト作製用混合槽の回転駆動制御および水量調整弁の開閉制御を行うマイクロコンピュータとを備えている。前記水・セメント比制御装置は、たとえば、検出手段によって、セメントペースト作製用混合槽を駆動する駆動モータの最大負荷電流または最大トルクを検出する。また、前記マイクロコンピュータは、前記セメントペースト作製用混合槽の回転駆動制御、および水量調整弁の開閉制御を行う。
【００３９】
（第１２発明）
第１２発明のコンクリート作製システムにおいて、第６発明の水・セメント比制御装置は、予めメモリにセメントの種類、骨材の混合割合と種類、コンクリートの強度が記憶されている。前記マイクロコンピュータは、予めメモリに記憶されているデータを基にして、それぞれを設定することにより、前記セメントペースト作製用混合槽の回転駆動制御、および水量調整弁の開閉制御を行うことができる。
【００４０】
（第１３発明）
第１３発明のコンクリート作製システムは、メモリの記憶内容を表示装置に表示し、目的に合った強度、ブリーディングの程度、養生時間等を考慮したコンクリートを得ることができる。前記コンクリート作製システムの水・セメント比制御装置は、前記表示装置に、運転中および運転完了の表示ができるとともに、メモリの記憶内容、前記セメントペースト作製用混合槽の回転駆動制御状態、および水量調整弁の開閉制御状態が表示される。コンクリート作製システムの管理者は、前記表示装置を見ることにより、所望の硬さ、ブリーディング、養生時間等からなるコンクリートを得ることができる。
【００４１】
（第１４発明）
第１４発明のプレキャストコンクリートは、第１発明から第１３発明によるコンクリート作製方法およびコンクリート作製システムによって作製された生コンクリートを型枠に投入し、養生および／または蒸気養生を用いて作製される。前記プレキャストコンクリートは、ブリーディングが少なく、所定の強度を有するものであり、信頼性が高いものである。
【実施例１】
【００４２】
図１は本発明の第１実施例である生コンクリート製造システムを説明するための概念図である。図１において、生コンクリート製造システムは、第１のミキシング工程および第２のミキシング工程を行うセメントぺースト作製用ミキサ１１と、セメント等の原料を貯蔵する原料貯蔵槽１２と、前記セメントぺースト作製用ミキサ１１によって作製されたセメントぺーストと、水と、細骨材および粗骨材等を入れて、本練りを行う本練り用ミキサ１８とから少なくとも構成されている。
【００４３】
原料貯蔵槽１２から供給されるセメントは、セメント計量器１３によって所定の量が計量された後、前記セメントぺースト作製用ミキサ１１に投入される。また、減水剤は、減水剤計量器１４によって計量された後、水タンク１５からの水と一緒になって、水計量器１６により計量され、その後、水量調整弁１７を介してセメントぺースト作製用ミキサ１１に投入される。
【００４４】
前記水量調整弁１７は、後述の水・セメント比制御装置の制御によって、水および減水剤を適当な量と時間に調整しながら前記セメントぺースト作製用ミキサ１１に投入する。第１のミキシング工程は、前記水量調整弁１７の制御の基に、セメントに対して、水および減水剤が所定量と所定時間かけて徐々に供給され、混練される。その後、前記セメントぺースト作製用ミキサ１１は、前記水量調整弁１７が全開されて、第２のミキシング工程に必要な水および減水剤が投入される。
【００４５】
前記第１のミキシング工程は、たとえば、ポルトランドセメントを使用し、減水剤を使用しない場合、水の量をセメント重量に対して２４％にすると、ブリーディングが少なく、強度の硬いコンクリートを得ることができる。また、前記水のセメントに対する重量％は、１８％から３０％、好ましくは、２２％から２６％の範囲であることが判った。減水剤を使用する場合の水および減水剤のセメントに対する重量％は、１３％から２５％、好ましくは、１５％から２３％の範囲であることが判った。すなわち、前記水および減水剤は、多くまたは少なくすることにり、所望の用途に合った性質のものを得ることができる。
【００４６】
前記第１のミキシング工程および第２のミキシング工程に使用するセメントぺースト作製用ミキサ１１は、たとえば、弾力のあるゴム製からなり、攪拌羽根を持たずに、高速で偏心回転できるような混合槽から構成される。前記セメントぺースト作製用ミキサ１１の形状および構造は、後述する。前記第１のミキシング工程は、前記セメントぺースト作製用ミキサ１１において、前記セメントと水および減水剤の量が徐々に供給されて、上手に攪拌混合されるため、セメントボールができずに、良質で均一に攪拌されたセメントペーストを得ることができる。前記コンクリート作製方法は、セメントボールができないため、より高い強度のコンクリートができるとともに、ブリーディングの発生が無く、蒸気養生の必要がないか、あるいは短時間の養生で済むコンクリートを得ることができるようになった。
【００４７】
第１のミキシング工程および第２のミキシング工程が終了したセメントぺーストは、セメントぺースト作製用ミキサ１１から投入シュート１８１を介して、本練り用ミキサ１８に供給される。細骨材は、細骨材計量器１８３により計量された後、投入シュート１８２を介して前記本練り用ミキサ１８に供給される。同様に、粗骨材は、粗骨材計量器１８４および前記投入シュート１８２を介して前記本練り用ミキサ１８に供給される。第３のミキシング工程は、前記本練り用ミキサ１８によって、前記セメントぺーストと、細骨材と、粗骨材とを混練した後、生コンクリートを得る。
【実施例２】
【００４８】
図２は本発明の第２実施例である生コンクリート製造方法を工程順に説明するための図である。図２において、第１のミキシング工程２１４は、セメント２１１、一次水（最適水比の水）２１２、減水剤２１３を所定の量で所定時間をかけるため、水量調整弁を介して徐々に投入しながらセメントペースト作製用ミキサを高速偏心回転させてミキシングを行う。第２のミキシング工程は、二次水（残りの水）２１５および減水剤２１６を一度に前記混合槽に供給し、攪拌する。前記セメントペースト作製用ミキサにおいて、攪拌されたセメントぺーストは、移動・静置工程を経て、第３のミキシング工程２２１を行う本練り用ミキサに供給される。前記移動・静置工程は、セメントの種類あるいは使用する生コンクリートの強度等によって設けられる。
【００４９】
前記一次水（最適水比の水）２１２は、ポルトランドセメントに対して重量比で、２４％の時、ブリーディングが最も少なくり、また、水和反応性が最も高くなることが判った。また、前記効果は、ブリーディング試験、セメントペーストの水和収縮試験、簡易断熱温度測定試験により確認した。前記一次水（最適水比の水）２１２は、減水剤を添加しない場合のものであるが、前述のように、減水剤を入れた場合であっても、ブリーディングが少なく、所望の硬度を得ることができた。
【００５０】
本練り用ミキサは、粗骨材２１９および細骨材２２０が供給され、前記第１のミキシング工程および第２のミキシング工程によって得られたセメントぺーストとともに本練りが行われて、生コンクリートとなる。前記生コンクリートは、排出工程２２２により、所望の型枠に打設される。
第２実施例は、移動・静置工程２１８がない点でのみ、第１実施例と異なっている。
【００５１】
図３は本発明の第１および第２実施例に共通な水およびセメントの供給量、ミキサ駆動モータの制御、水量調整弁の制御等を説明するためのブロック構成図である。図３において、セメントは、セメント貯蔵槽３１１からセメント計量器３１２よって計量された後、セメントぺースト作製用ミキサ３１７に投入される。水タンク３１４からの水は、水計量器３１５によって所定の量とするとともに、水量調整弁３１６によって、徐々にセメントぺースト作製用ミキサ３１７に投入される。
【００５２】
前記ミキサ駆動モータ３１８は、駆動モータ制御部３１９の制御により制御される。前記水量調整弁３１６は、水・セメント比制御装置３０によって制御される。前記水・セメント比制御装置３０は、負荷電流検出部３０１と、マイコン３０２と、メモリ３０３と、水量調整弁制御部３０４と、表示部３０５とから少なくとも構成されている。
【００５３】
前記負荷電流検出部３０１は、セメントぺースト作製用ミキサ３１７を駆動するモータの負荷電流を検出する。前記セメントぺースト作製用ミキサ３１７を駆動するモータの負荷電流の代わりに、負荷トルクを検出することもできる。前記マイコン３０２は、負荷電流検出部３０１によって検出された前記負荷電流または負荷トルクを信号として、駆動モータ制御部３１９および水量調整弁制御部３０４へ送り、ミキサ駆動モータ３１８および水量調整弁３１６を制御する。
【００５４】
また、前記マイコン３０２は、予めメモリ３０３に記憶されているセメントの種類とその量、水の量、負荷電流（負荷トルク）の値等のデータを基にして制御を行う。前記マイコン３０２は、前記負荷電流検出部３０１により、負荷電流が最大になった際に、水量調整弁制御部３０４により、水量調整弁３１６を閉じるように制御する。最大の負荷電流または負荷トルクが検出された状態は、前記セメントペースト作製用ミキサ３１７のセメントペーストが一番練り込まれた状態であり、セメントボールがない一つに纏まった塊状になっている。
【００５５】
表示部３０５は、メモリ３０３の記憶内容を表示装置に表示する。前記表示部３０５は、セメントの種類、水の量等、目的に合ったコンクリートの強度、ブリーディングの発生程度、養生（養生または蒸気養生）時間等を表示して、適宜選択することにより、所望の品質の生コンクリートを得ることができる。前記コンクリート作製システムの水・セメント比制御装置３０は、前記表示部３０５に、運転中および運転完了の表示がでるとともに、メモリ３０３の記憶内容、前記セメントペースト作製用ミキサの回転駆動制御状態、および水量調整弁の開閉制御状態等を表示する。
【００５６】
図４は本発明の実施例に使用したセメントペースト作製用ミキサの概念構成を説明するための図である。図４において、セメントペースト作製用ミキサ４１は、モータ４２と、前記モータ４２によって回転する回転板と偏心部材からなる偏心機構４３と、弾性部材から構成される弾性底部４４と、前記弾性底部４４に連設されているほぼ円筒状筐体４５と、前記弾性底部４４および円筒状筐体４５からなる混合槽の底部を構成する半球状底部４６とから少なくとも構成されている。
【００５７】
前記セメントペースト作製用ミキサ４１は、半球状底部４６が偏心しながら回転するとともに、前記弾性底部４４の弾性による伸び縮みにより、内部に入っているセメントペースト４７に強い加速度を与えながら、不規則に旋回することにより、水とセメントが均一に攪拌されるため、セメントボールの発生がなくなる。特に、前記セメントペースト作製用ミキサ４１における弾性底部４４は、高速偏心回転により、一方が伸び、他方が縮むようになり、水およびセメントの不規則性を大きくして回転する。前記水とセメントは、前記セメントペースト作製用ミキサ４１の不規則な偏心高速回転により、セメント粒子間に働く水の表面張力、あるいは、毛管凝集力の作用により、表面積が最も小さくなり、一つに纏まった塊状の混練物が得られるようになる。
【００５８】
図５は本発明の実施例における水、セメント、細骨材、粗骨材、減水剤、空気の量等の割合の一例を示す図である。図５において、Ｗ／Ｃは水とセメントとの重量比、Ｓ／ａは骨材中に占める細骨材の容積割合、Ｗは水、Ｃは普通ポルトランドセメント、Ｓは細骨材、Ｇ１、Ｇ２は粗骨材を示し、値は単位容積当たりの重量を表している。また、ＡＤは高性能減衰剤の重量に占める割合である。
【００５９】
図６は本発明の実施例における各工程における水とセメントの割合を示す図である。図６において、第１のミキシング工程（Ｗ１）、第２のミキシング工程（Ｗ２）、および第３のミキシング工程（Ｗ）における水の割合と全体に対する割合、水とセメントの比率が表されている。
【００６０】
図７は本発明の実施例で、セメントとして、ポルトランドセメントを使用した場合の図４および図５におけるシングルミキシング（ＳＭ）とダブルミキシング（ＤＭ）の違いを説明するための図である。図７において、本発明のダブルミキシング法は、圧縮強度およびブリーディング率が向上していることが判る。
【００６１】
図８は本発明の実施例で、ダブルミキシングの場合効果を説明するための図である。図８において、養生時間の短縮、養生に要するエネルギーの減少、同じ強度のセメント量の減少等が判る。
【００６２】
図９は本発明の実施例におけるセメントに水を混ぜてセメントペーストを作製し、生コンクリートを得るための工程図である。図９において、ＳＭ１は、シングルミキシングであり、ＤＭは、ダブルミキシングで、１から４の異なる例を挙げてある。なお、図中、Ｗは水、Ａｄは減水剤、ＡＥは空気調整剤、Ｃはセメント、Ｌは練混回転速度低、Ｈは練混回転速度高、Ｓは砂、Ｇは砂利、ＣＰはセメントペーストである。
【００６３】
図１０は本発明の図９におけるセメントペーストを使用した場合のスランプおよびブリーディング率を示すものである。図１０において、ＳＭ１のセメントペーストは、コンクリートとして柔らかく、かつブリーディング率が大きい。ＤＭ３のセメントペーストは、コンクリートとしての硬さおよびブリーディング率が程良い値であることが判る。
【００６４】
図１１は本発明の実施例における標準的な蒸気養生の経過時間対温度の関係を示すものである。図１２は図１１における経過時間が０から１２時間までの部分を拡大した図であり、前置時間を短縮した場合における経過時間に対する温度の推移を表す。図１１および図１２における蒸気養生条件で成形したコンクリートの圧縮強度の結果が図１３および図１４となる。
【００６５】
図１３は本発明の実施例において、脱型直後の圧縮強度と前置養生時間との関係を示す図である。図１４は本発明の実施例において、型枠打ち込み後、材齢７日の圧縮強度と前記養生時間との関係を示す図である。図１３および図１４において、ＤＭ１、またはＤＭ３、またはＤＭ４のセメントペーストから作製されたコンクリートは、ＳＭ１のセメントペーストから作製されたコンクリートより、明らかに圧縮強度が向上している。また、図１４において、ＳＭ１の場合、前置き時間を０時間にした場合では、圧縮強度が１６％も低くなっているのに対して、ＤＭの場合は、前置き時間が０時間の場合でも、圧縮強度の低下は４％程度でしかない。したがって、ダブルミキシングでは、前置き時間を０時間としても良いことが判る。
【００６６】
図１５は本発明の実施例における負荷電流値と練り混ぜ時間の関係を示す図である。図１５において、水量調整弁の調整により調整された一次水の量が不足している領域、および最適一次水の領域が示されている。一次水の量が不足している場合、負荷電流値は、一定範囲で繰り替えさる。最適一次水の場合、負荷電流がほぼ一定の値を示している。したがって、本発明は、前記最適一次水になった領域を検出して、負荷電流を切断している。
【００６７】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の実施例に記載された制御系のブロックは、周知または公知の技術によって達成できるものである。
【図面の簡単な説明】
【００６８】
【図１】本発明の第１実施例である生コンクリート製造システムを説明するための概念図である。（実施例１）
【図２】本発明の第２実施例である生コンクリート製造方法を工程順に説明するための図である。（実施例２）
【図３】本発明の第１および第２実施例に共通な水およびセメントの供給量、ミキサ駆動モータの制御、水量調整弁の制御等を説明するためのブロック構成図である。
【図４】本発明の実施例に使用したセメントペースト作製用ミキサの概念構成を説明するための図である。
【図５】本発明の実施例における水、セメント、細骨材、粗骨材、減水剤、空気の量等の割合の一例を示す図である。
【図６】本発明の実施例における各工程における水とセメントの割合を示す図である。
【図７】本発明の実施例で、セメントとして、ポルトランドセメントを使用した場合の図４および図５におけるシングルミキシング（ＳＭ）とダブルミキシング（ＤＭ）の違いを説明するための図である。
【図８】本発明の実施例で、セメントとして、ポルトランドセメントを使用した場合の図４および図５におけるシングルミキシングとダブルミキシングの違いを説明するための図である。
【図９】本発明の実施例におけるセメントに水を混ぜてセメントペーストを作製し、生コンクリートを得るための工程図である。
【図１０】本発明の図９におけるセメントペーストを使用した場合のスランプおよびブリーディング率を示すものである。
【図１１】本発明の実施例における蒸気養生における経過時間対温度の関係を示すものである。
【図１２】図１１における経過時間が０から１２時間までの部分を拡大した図であり、前置時間を短縮した場合における経過時間に対する温度の推移を表す。
【図１３】本発明の実施例において、脱型直後の圧縮強度と前置養生時間との関係を示す図である。
【図１４】本発明の実施例において、型枠打ち込み後、材齢７日の圧縮強度と前記養生時間との関係を示す図である。
【図１５】本発明の実施例における負荷電流値と練り混ぜ時間の関係を示す図である。
【符号の説明】
【００６９】
１１・・・セメントペースト作製用ミキサ
１２・・・原料貯蔵槽
１３・・・セメント計量器
１４・・・減水剤計量器
１５・・・水タンク
１６・・・水計量器
１７・・・水量調整弁
１８・・・本練り用ミキサ
１８１・・・投入シュート
１８２・・・投入シュート
１８３・・・細骨材計量器
１８４・・・粗骨材計量器
【図１】
2010149348.tif 000003
【図２】
2010149348.tif 000004
【図３】
2010149348.tif 000005
【図４】
2010149348.tif 000006
【図５】
2010149348.tif 000007
【図６】
2010149348.tif 000008
【図７】
2010149348.tif 000009
【図８】
2010149348.tif 000010
【図９】
2010149348.tif 000011
【図１０】
2010149348.tif 000012
【図１１】
2010149348.tif 000013
【図１２】
2010149348.tif 000014
【図１３】
2010149348.tif 000015
【図１４】
2010149348.tif 000016
【図１５】
2010149348.tif 000017
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
計量されたセメントをセメントペースト用ミキサーに入れた後、水および減水剤を水量調整弁の制御の基に徐々に投入しながらミキシングを行う第１のセメントペーストを作製する第１のミキシング工程と、
前記第１のミキシング工程によって作製されたセメントペーストに前記水量調整弁を全開にして水および減水剤を一度に投入してミキシングを行う第２のセメントペーストを作製する第２のミキシング工程と、
前記第２のミキシング工程によって得られた第２のセメントペーストと、細骨材および粗骨材を本練り用ミキサーに入れてミキシングを行う第３のミキシング工程と、
前記第３のミキシング工程によって作製された生コンクリートを型枠に投入した後、蒸気養生を行う工程と、
から少なくとも構成されていることを特徴とするコンクリート作製方法。
【請求項２】
第１のミキシング工程および第２のミキシング工程は、弾力により揺動できるゴム製の混合槽を偏心回転させて、セメントペースト、水、および減水剤を攪拌混合することを特徴とする請求項１に記載されたコンクリート作製方法。
【請求項３】
前記水量調整弁は、第１および第２のミキシング工程に使用される回転用モータの負荷電流を検出し、前記負荷電流に基づいて開閉が制御されることを特徴とする請求項１または請求項２に記載されたコンクリート作製方法。
【請求項４】
前記水量調整弁は、第１および第２のミキシング工程に使用される回転用モータの負荷トルクを検出し、前記負荷トルクに基づいて開閉が制御されることを特徴とする請求項１または請求項２に記載されたコンクリート作製方法。
【請求項５】
前記水および減水剤の量は、セメント重量に対して１５％から２３％であることを特徴とする請求項１から請求項４のいずれか１項に記載されたコンクリート作製方法。
【請求項６】
前記第１のミキシング工程、第２のミキシング工程、および第３のミキシング工程を一つの混合槽によって連続的に行うことを特徴とする請求項１から請求項５のいずれか１項に記載されたコンクリート作製方法。
【請求項７】
弾力により揺動できるゴム製部材から構成され、偏心回転させながら使用するセメントペーストを作製するセメントぺースト作製用混合槽と、
前記セメントぺースト作製用混合槽に入れる水および減水剤の量およびセメント量を計量する計量機構と、
前記セメントぺースト作製用混合槽を偏心回転させる回転機構と、
前記セメントぺースト作製用混合槽に水および減水剤を制御の基に徐々に投入、または全開して一度投入することができる水量調整弁と、
前記セメントペースト、細骨材、粗骨材を入れて攪拌する生コンクリート骨材作製用混合槽と、
前記セメントペースト作製用混合槽および生コンクリート骨材作製用混合槽に対する回転制御と、前記水量調整弁の開閉制御を行う水・セメント比制御装置と、
前記セメントぺースト作製用混合槽によるダブルミキシングによって作製された生コンクリートを型枠に投入して蒸気養生を行う手段と、
から少なくとも構成されることを特徴とするコンクリート作製システム。
【請求項８】
前記セメントペースト作製用混合槽の下段には、細骨材および粗骨材とともに攪拌されるコンクリート本練り用混合槽が設けられていることを特徴とする請求項７に記載されたコンクリート作製システム。
【請求項９】
前記セメントペースト作製用混合槽の下段には、セメントペースト搬送手段が設けられ、前記セメントペーストが前記搬送手段の搬送を経て、細骨材および粗骨材とともに攪拌する生コンクリート本練り用混合槽に投入されることを特徴とする請求項７に記載されたコンクリート作製システム。
【請求項１０】
前記水・セメント比制御装置は、セメントペースト作製用混合槽を駆動する駆動モータの負荷電流を検出する検出手段と、前記セメントペースト作製用混合槽の回転駆動制御、および水量調整弁の開閉制御を行うマイクロコンピュータとを少なくとも備えていることを特徴とする請求項７から請求項９のいずれか１項に記載されたコンクリート作製システム。
【請求項１１】
前記水・セメント比制御装置は、セメントペースト作製用混合槽を駆動する駆動モータの負荷トルクを検出する検出手段と、前記セメントペースト作製用混合槽の回転駆動制御、および水量調整弁の開閉制御を行うマイクロコンピュータとを少なくとも備えていることを特徴とする請求項７から請求項９のいずれか１項に記載されたコンクリート作製システム。
【請求項１２】
前記水・セメント比制御装置は、予めメモリにセメントの種類、骨材の混合割合と種類、コンクリートの強度が記憶されており、前記のそれぞれを設定することにより、前記セメントペースト作製用混合槽の回転駆動制御、および水量調整弁の開閉制御を行うことを特徴とする請求項７から請求項１１のいずれか１項に記載されたコンクリート作製システム。
【請求項１３】
前記水・セメント比制御装置は、運転中および運転完了の表示、およびメモリの記憶内容、前記セメントペースト作製用混合槽の回転駆動制御状態、および水量調整弁の開閉制御状態が表示される表示装置が設けられていることを特徴とする請求項７から請求項１２のいずれか１項に記載されたコンクリート作製システム。
【請求項１４】
請求項１から請求項１３に記載されたコンクリート作製方法および／またはコンクリート作製システムにより作製された生コンクリートを型枠に投入し、蒸気養生を用いて作製されたプレキャストコンクリート。
【手続補正２】
【補正対象書類名】明細書
【補正対象項目名】０００７
【補正方法】変更
【補正の内容】
【０００７】
（第１発明）
第１発明のコンクリート作製方法は、計量されたセメントをセメントペースト用ミキサーに入れた後、水および減水剤を水量調整弁の制御の基に徐々に投入しながらミキシングを行う第１のセメントペーストを作製する第１のミキシング工程と、前記第１のミキシング工程によって作製されたセメントペーストに前記水量調整弁を全開にして水および減水剤を一度に投入してミキシングを行う第２のセメントペーストを作製する第２のミキシング工程と、前記第２のミキシング工程によって得られた第２のセメントペーストと、細骨材および粗骨材を本練り用ミキサーに入れてミキシングを行う第３のミキシング工程と、前記第３のミキシング工程によって作製された生コンクリートを型枠に投入した後、蒸気養生を行う工程とから少なくとも構成されていることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
（第２発明）
第２発明のコンクリート作製方法において、第１のミキシング工程および第２のミキシング工程は、弾力により揺動できるゴム製の混合槽を偏心回転させて、セメントペースト、水、および減水剤を攪拌混合することを特徴とする。
【手続補正５】
【補正対象書類名】明細書
【補正対象項目名】００１０
【補正方法】変更
【補正の内容】
【００１０】
（第３発明）
第３発明のコンクリート作製方法において、第１発明または第２発明の水量調整弁は、第１および第２のミキシング工程に使用される回転用モータの負荷電流を検出し、前記負荷電流に基づいて開閉が制御されることを特徴とする。
（第４発明）
第４発明のコンクリート作製方法において、第１発明または第２発明の水量調整弁は、第１および第２のミキシング工程に使用される回転用モータの負荷トルクを検出し、前記負荷トルクに基づいて開閉が制御されることを特徴とする。
【手続補正６】
【補正対象書類名】明細書
【補正対象項目名】００１１
【補正方法】変更
【補正の内容】
【００１１】
（第５発明）
第５発明のコンクリート作製方法において、第１発明から第４発明の水および減水剤の量は、セメント重量に対して１５％から２３％であることを特徴とする。
【手続補正７】
【補正対象書類名】明細書
【補正対象項目名】００１３
【補正方法】変更
【補正の内容】
【００１３】
（第７発明）
第７発明のコンクリート作製システムは、弾力により揺動できるゴム製部材から構成され、偏心回転させながら使用するセメントペーストを作製するセメントぺースト作製用混合槽と、前記セメントぺースト作製用混合槽に入れる水および減水剤の量およびセメント量を計量する計量機構と、前記セメントぺースト作製用混合槽を偏心回転させる回転機構と、前記セメントぺースト作製用混合槽に水および減水剤を制御の基に徐々に投入、または全開して一度投入することができる水量調整弁と、前記セメントペースト、細骨材、粗骨材を入れて攪拌する生コンクリート骨材作製用混合槽と、前記セメントペースト作製用混合槽および生コンクリート骨材作製用混合槽に対する回転制御と、前記水量調整弁の開閉制御を行う水・セメント比制御装置と、前記セメントぺースト作製用混合槽によるダブルミキシングによって作製された生コンクリートを型枠に投入して蒸気養生を行う手段とから少なくとも構成されることを特徴とする。
リート作製システム。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
（第１１発明）
第１１発明のコンクリート作製システムにおいて、第７発明から第９発明の水・セメント比制御装置は、セメントペースト作製用混合槽を駆動する駆動モータの負荷電流を検出する検出手段と、前記セメントペースト作製用混合槽の回転駆動制御、および水量調整弁の開閉制御を行うマイクロコンピュータとを少なくとも備えていることを特徴とする請求項７から請求項９のいずれか１項に記載されたコンクリート作製システム。
【手続補正１０】
【補正対象書類名】明細書
【補正対象項目名】００１８
【補正方法】変更
【補正の内容】
【００１８】
（第１２発明）
第１２発明のコンクリート作製システムにおいて、第７発明から第９発明の水・セメント比制御装置は、セメントペースト作製用混合槽を駆動する駆動モータの負荷トルクを検出する検出手段と、前記セメントペースト作製用混合槽の回転駆動制御、および水量調整弁の開閉制御を行うマイクロコンピュータとを少なくとも備えていることを特徴とする。
【手続補正１１】
【補正対象書類名】明細書
【補正対象項目名】００２０
【補正方法】変更
【補正の内容】
【００２０】
（第１４発明）
第１４発明のプレキャストコンクリートは、第１発明から第１３発明に記載された生コンクリート作製方法および／またはコンクリート作製システムにより作製された生コンクリートを型枠に投入し、蒸気養生を用いて作製されることを特徴とする。
【手続補正１２】
【補正対象書類名】明細書
【補正対象項目名】００２８
【補正方法】変更
【補正の内容】
【００２８】
前記コンクリート作製方法は、第２のミキシング工程と第３のミキシング工程の間に、前記第２のミキシング工程によって得られたセメントペーストを静置する静置工程を設けた点で異なっている。前記静置工程は、前記第２のミキシング工程によって得られたセメントペーストを次の工程に搬送される間に静置される。前記静置工程は、セメントおよび水等の混合割合を適当にするとともに、所望の強度等を得るために、設けることができる。また、前記静置工程は、前記搬送装置を停止または搬送速度を可変することにより、所望の時間だけ静置することができる。
【手続補正１３】
【補正対象書類名】明細書
【補正対象項目名】００２９
【補正方法】変更
【補正の内容】
【００２９】
（第２発明）
第２発明のコンクリート作製方法は、第１発明における第１のミキシング工程および第２のミキシング工程に使用する混合槽を弾力のあるゴム製とする。前記混合槽は、下部から底部がゴム製からなり、上部がたとえば金属製の筒体から構成されている。また、前記混合槽は、攪拌羽根を持たずに、高速で偏心回転させる。前記混合槽内の水とセメントは、高速偏心回転によって、下部から底部にかけて前記ゴムが伸び縮みし、また、セメントペーストが加速しランダム方向に揺動しながら短時間で混練を行うことができる。前記混練は、前記セメントと水および減水剤が上手に攪拌混合され、セメントボールができない、良質のセメントペーストを得ることができる。前記コンクリート作製方法は、セメントボールができないため、より高い強度が要求され、あるいは、ブリーディングを発生させないコンクリートが要求される場合に最適である。
【手続補正１４】
【補正対象書類名】明細書
【補正対象項目名】００３０
【補正方法】変更
【補正の内容】
【００３０】
（第３発明および第４発明）
第３発明および第４発明のコンクリート作製方法は、第１発明および第２発明における水量調整弁の制御に関するものである。前記水量調整弁は、第１および第２のミキシング工程に使用される回転用モータの負荷電流を検出し、前記検出された負荷電流が最大となった際に、閉じるように制御される。また、前記水量調整弁は、水等の供給を閉じるタイミングにより、所望の品質のセメントペーストを得ることができる。また、前記コンクリート作製方法は、第１発明および第２発明における水量調整弁の制御の仕方が異なっている。前記水量調整弁は、第１および第２のミキシング工程に使用される回転用モータの負荷トルクを検出し、前記検出された負荷トルクが最大となった際に、閉じるように制御される。
【手続補正１５】
【補正対象書類名】明細書
【補正対象項目名】００３７
【補正方法】変更
【補正の内容】
【００３７】
本発明のコンクリート作製システムは、弾力により揺動できるゴム製で、高速偏心回転が可能な一つの共通混合槽によって、セメントからセメントペーストを作製し、その後、コンクリートを一貫作業により、作製することができる。前記一貫作業のコンクリートは、強度が高く、ブリーディングの発生が少なく、蒸気養生における前置き時間を省略、あるいは短時間とすることができる。
【手続補正１６】
【補正対象書類名】明細書
【補正対象項目名】００３８
【補正方法】変更
【補正の内容】
【００３８】
（第１０発明および第１１発明）
第１０発明および第１１発明のコンクリート作製システムは、水・セメント比制御装置として、駆動モータの負荷電流またはトルクを検出する検出手段と、セメントぺースト作製用混合槽の回転駆動制御および水量調整弁の開閉制御を行うマイクロコンピュータとを備えている。前記水・セメント比制御装置は、たとえば、検出手段によって、セメントペースト作製用混合槽を駆動する駆動モータの最大負荷電流または最大トルクを検出する。また、前記マイクロコンピュータは、前記セメントペースト作製用混合槽の回転駆動制御、および水量調整弁の開閉制御を行う。
【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
計量されたセメントをセメントペースト用ミキサーに入れた後、水および減水剤を水量調整弁の制御の基に投入量を徐々に増加しながらミキシングを行う第１のセメントペーストを作製する第１のミキシング工程と、
前記第１のミキシング工程によって作製されたセメントペーストに前記水量調整弁を全開にして水および減水剤を一度に投入してミキシングを行う第２のセメントペーストを作製する第２のミキシング工程と、
前記第２のミキシング工程によって得られた第２のセメントペーストと、細骨材および粗骨材を本練り用ミキサーに入れてミキシングを行う第３のミキシング工程と、
前記第３のミキシング工程によって作製された生コンクリートを型枠に投入した後、蒸気養生を行う工程と、
からなり、
前記第１のミキシング工程および第２のミキシング工程は、弾力により揺動できるゴム製の混合槽を偏心回転させて、セメントペースト、水、および減水剤を攪拌混合することを特徴とするコンクリート作製方法。
【請求項２】
前記水量調整弁は、第１および第２のミキシング工程に使用される回転用モータの負荷電流を検出し、前記負荷電流に基づいて開閉が制御されることを特徴とする請求項１に記載されたコンクリート作製方法。
【請求項３】
前記水量調整弁は、第１および第２のミキシング工程に使用される回転用モータの負荷トルクを検出し、前記負荷トルクに基づいて開閉が制御されることを特徴とする請求項１に記載されたコンクリート作製方法。
【請求項４】
前記第１のミキシング工程において、前記水および減水剤の量は、セメント重量に対して１５％から２３％であることを特徴とする請求項１から請求項３のいずれか１項に記載されたコンクリート作製方法。
【請求項５】
弾力により揺動できるゴム製部材から構成され、偏心回転させながら使用するセメントペーストを作製するセメントぺースト作製用混合槽と、
前記セメントぺースト作製用混合槽に入れる水および減水剤の量およびセメント量を計量する計量機構と、
前記セメントぺースト作製用混合槽を偏心回転させる回転機構と、
前記セメントぺースト作製用混合槽に水および減水剤を制御の基に投入量を徐々に増加、および全開して一度に投入することのいずれもができる水量調整弁と、
前記セメントペースト、細骨材、粗骨材を入れて攪拌する生コンクリート骨材作製用混合槽と、
前記セメントペースト作製用混合槽および生コンクリート骨材作製用混合槽に対する回転制御と、前記水量調整弁の開閉制御を行う水・セメント比制御装置と、
前記セメントぺースト作製用混合槽によるダブルミキシングによって作製された生コンクリートを型枠に投入して蒸気養生を行う手段と、
から少なくとも構成されることを特徴とするコンクリート作製システム。
【請求項６】
前記セメントペースト作製用混合槽の下段には、細骨材および粗骨材とともに攪拌されるコンクリート本練り用混合槽が設けられていることを特徴とする請求項５に記載されたコンクリート作製システム。
【請求項７】
前記セメントペースト作製用混合槽の下段には、セメントペースト搬送手段が設けられ、前記セメントペーストが前記搬送手段の搬送を経て、細骨材および粗骨材とともに攪拌する生コンクリート本練り用混合槽に投入されることを特徴とする請求項５に記載されたコンクリート作製システム。
【請求項８】
前記水・セメント比制御装置は、セメントペースト作製用混合槽を駆動する駆動モータの負荷電流を検出する検出手段と、前記セメントペースト作製用混合槽の回転駆動制御、および水量調整弁の開閉制御を行うマイクロコンピュータとを少なくとも備えていることを特徴とする請求項５から請求項７のいずれか１項に記載されたコンクリート作製システム。
【請求項９】
前記水・セメント比制御装置は、セメントペースト作製用混合槽を駆動する駆動モータの負荷トルクを検出する検出手段と、前記セメントペースト作製用混合槽の回転駆動制御、および水量調整弁の開閉制御を行うマイクロコンピュータとを少なくとも備えていることを特徴とする請求項５から請求項７のいずれか１項に記載されたコンクリート作製システム。
【請求項１０】
前記水・セメント比制御装置は、予めメモリにセメントの種類、骨材の混合割合と種類、コンクリートの強度が記憶されており、前記のそれぞれを設定することにより、前記セメントペースト作製用混合槽の回転駆動制御、および水量調整弁の開閉制御を行うことを特徴とする請求項５から請求項９のいずれか１項に記載されたコンクリート作製システム。
【請求項１１】
前記水・セメント比制御装置は、運転中および運転完了の表示、およびメモリの記憶内容、前記セメントペースト作製用混合槽の回転駆動制御状態、および水量調整弁の開閉制御状態が表示される表示装置が設けられていることを特徴とする請求項５から請求項１０のいずれか１項に記載されたコンクリート作製システム。
【手続補正３】
【補正対象書類名】明細書
【補正対象項目名】０００７
【補正方法】変更
【補正の内容】
【０００７】
（第１発明）
第１発明のコンクリート作製方法は、計量されたセメントをセメントペースト用ミキサーに入れた後、水および減水剤を水量調整弁の制御の基に投入量を徐々に増加しながらミキシングを行う第１のセメントペーストを作製する第１のミキシング工程と、前記第１のミキシング工程によって作製されたセメントペーストに前記水量調整弁を全開にして水および減水剤を一度に投入してミキシングを行う第２のセメントペーストを作製する第２のミキシング工程と、前記第２のミキシング工程によって得られた第２のセメントペーストと、細骨材および粗骨材を本練り用ミキサーに入れてミキシングを行う第３のミキシング工程と、前記第３のミキシング工程によって作製された生コンクリートを型枠に投入した後、蒸気養生を行う工程と、からなり、前記第１のミキシング工程および第２のミキシング工程は、弾力により揺動できるゴム製の混合槽を偏心回転させて、セメントペースト、水、および減水剤を攪拌混合することを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
（第２発明）
第２発明のコンクリート作製方法において、第１発明の水量調整弁は、第１および第２のミキシング工程に使用される回転用モータの負荷電流を検出し、前記負荷電流に基づいて開閉が制御されることを特徴とする。
（第３発明）
第３発明のコンクリート作製方法において、第１発明の水量調整弁は、第１および第２のミキシング工程に使用される回転用モータの負荷トルクを検出し、前記負荷トルクに基づいて開閉が制御されることを特徴とする。
【手続補正６】
【補正対象書類名】明細書
【補正対象項目名】００１１
【補正方法】変更
【補正の内容】
【００１１】
（第４発明）
第４発明のコンクリート作製方法の前記第１のミキシング工程において、第１発明から第３発明の水および減水剤の量は、セメント重量に対して１５％から２３％であることを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
（第５発明）
第５発明のコンクリート作製システムは、弾力により揺動できるゴム製部材から構成され、偏心回転させながら使用するセメントペーストを作製するセメントぺースト作製用混合槽と、前記セメントぺースト作製用混合槽に入れる水および減水剤の量およびセメント量を計量する計量機構と、前記セメントぺースト作製用混合槽を偏心回転させる回転機構と、前記セメントぺースト作製用混合槽に水および減水剤を制御の基に投入量を徐々に増加、および全開して一度に投入することのいずれもができる水量調整弁と、前記セメントペースト、細骨材、粗骨材を入れて攪拌する生コンクリート骨材作製用混合槽と、前記セメントペースト作製用混合槽および生コンクリート骨材作製用混合槽に対する回転制御と、前記水量調整弁の開閉制御を行う水・セメント比制御装置と、前記セメントぺースト作製用混合槽によるダブルミキシングによって作製された生コンクリートを型枠に投入して蒸気養生を行う手段とから少なくとも構成されることを特徴とする。
【手続補正９】
【補正対象書類名】明細書
【補正対象項目名】００１４
【補正方法】変更
【補正の内容】
【００１４】
（第６発明）
第６発明のコンクリート作製システムにおいて、第５発明のセメントペースト作製用混合槽の下段には、細骨材および粗骨材とともに攪拌されるコンクリート本練り用混合槽が設けられていることを特徴とする。
【手続補正１０】
【補正対象書類名】明細書
【補正対象項目名】００１５
【補正方法】変更
【補正の内容】
【００１５】
（第７発明）
第７発明のコンクリート作製システムにおいて、第５発明のセメントペースト作製用混合槽の下段には、セメントペースト搬送手段が設けられ、前記セメントペーストが前記搬送手段の搬送を経て、細骨材および粗骨材とともに攪拌する生コンクリート本練り用混合槽に投入されることを特徴とする。
【手続補正１１】
【補正対象書類名】明細書
【補正対象項目名】００１７
【補正方法】変更
【補正の内容】
【００１７】
（第８発明）
第８発明のコンクリート作製システムにおいて、第５発明から第７発明の水・セメント比制御装置は、セメントペースト作製用混合槽を駆動する駆動モータの負荷電流を検出する検出手段と、前記セメントペースト作製用混合槽の回転駆動制御、および水量調整弁の開閉制御を行うマイクロコンピュータとを少なくとも備えていることを特徴とする。
（第９発明）
第９発明のコンクリート作製システムにおいて、第５発明から第７発明の水・セメント比制御装置は、セメントペースト作製用混合槽を駆動する駆動モータの負荷トルクを検出する検出手段と、前記セメントペースト作製用混合槽の回転駆動制御、および水量調整弁の開閉制御を行うマイクロコンピュータとを少なくとも備えていることを特徴とする。
【手続補正１２】
【補正対象書類名】明細書
【補正対象項目名】００１８
【補正方法】変更
【補正の内容】
【００１８】
（第１０発明）
第１０発明のコンクリート作製システムにおいて、第５発明から第９発明の水・セメント比制御装置は、予めメモリにセメントの種類、骨材の混合割合と種類、コンクリートの強度が記憶されており、前記のそれぞれを設定することにより、前記セメントペースト作製用混合槽の回転駆動制御、および水量調整弁の開閉制御を行うことを特徴とする。
【手続補正１３】
【補正対象書類名】明細書
【補正対象項目名】００１９
【補正方法】変更
【補正の内容】
【００１９】
（第１１発明）
第１１発明のコンクリート作製システムにおいて、第５発明から第１０発明の水・セメント比制御装置は、運転中および運転完了の表示、およびメモリの記憶内容、前記セメントペースト作製用混合槽の回転駆動制御状態、および水量調整弁の開閉制御状態が表示される表示装置が設けられていることを特徴とする。
【手続補正１４】
【補正対象書類名】明細書
【補正対象項目名】００２０
【補正方法】削除
【補正の内容】
【手続補正１５】
【補正対象書類名】明細書
【補正対象項目名】００２８
【補正方法】変更
【補正の内容】
【００２８】
前記コンクリート作製方法は、第２のミキシング工程と第３のミキシング工程の間に、前記第２のミキシング工程によって得られたセメントペーストを静置する静置工程を設けた点で異なっている。前記静置工程は、前記第２のミキシング工程によって得られたセメントペーストを次の工程に搬送される間に静置される。前記静置工程は、セメントおよび水等の混合割合を適当にするとともに、所望の強度等を得るために、設けることができる。また、前記静置工程は、前記搬送装置を停止または搬送速度を可変することにより、所望の時間だけ静置することができる。第１発明における水および減水剤の投入は、水量調整弁の制御の基に投入量を徐々に増加させながら行われる。
【手続補正１６】
【補正対象書類名】明細書
【補正対象項目名】００２９
【補正方法】変更
【補正の内容】
【００２９】
第１発明のコンクリート作製方法は、第１のミキシング工程および第２のミキシング工程に使用する混合槽を弾力のあるゴム製とする。前記混合槽は、下部から底部がゴム製からなり、上部がたとえば金属製の筒体から構成されている。また、前記混合槽は、攪拌羽根を持たずに、高速で偏心回転させる。前記混合槽内の水とセメントは、高速偏心回転によって、下部から底部にかけて前記ゴムが伸び縮みし、また、セメントペーストが加速しランダム方向に揺動しながら短時間で混練を行うことができる。前記混練は、前記セメントと水および減水剤が上手に攪拌混合され、セメントボールができない、良質のセメントペーストを得ることができる。前記コンクリート作製方法は、セメントボールができないため、より高い強度が要求され、あるいは、ブリーディングを発生させないコンクリートが要求される場合に最適である。
【手続補正１７】
【補正対象書類名】明細書
【補正対象項目名】００３０
【補正方法】変更
【補正の内容】
【００３０】
（第２発明および第３発明）
第２発明および第３発明のコンクリート作製方法は、第１発明における水量調整弁の制御に関するものである。前記水量調整弁は、第１および第２のミキシング工程に使用される回転用モータの負荷電流を検出し、前記検出された負荷電流が最大となった際に、閉じるように制御される。また、前記水量調整弁は、水等の供給を閉じるタイミングにより、所望の品質のセメントペーストを得ることができる。また、前記コンクリート作製方法の水量調整弁は、第１および第２のミキシング工程に使用される回転用モータの負荷トルクを検出し、前記検出された負荷トルクが最大となった際に、閉じるように制御される。
【手続補正１８】
【補正対象書類名】明細書
【補正対象項目名】００３１
【補正方法】変更
【補正の内容】
【００３１】
（第４発明）
第４発明のコンクリート作製方法は、第１のミキシング工程に使用される水および減水剤とセメントの量を規定している。たとえば、ＪＩＳ  Ｒ  ５２１０に規定される普通ポルトランドセメントを使用した場合、第１のミキシング工程に使用される水の量は、減水剤を使用しない場合、セメント重量に対して１８％から３０％、好ましくは、２２％から２６％、減水剤を使用する場合、セメント重量に対して１３％から２５％、好ましくは、１５％から２３％、を中心にして、多くまたは少なくすることにより、所望の用途に合った性質のものを得ることができる。
【手続補正１９】
【補正対象書類名】明細書
【補正対象項目名】００３２
【補正方法】変更
【補正の内容】
【００３２】
本発明のコンクリート作製方法は、第１発明から第４発明のミキシング工程を一つの混合槽によって連続的に行うことができる。本発明は、セメント、水、減水剤、細骨材、粗骨材を所定量供給できるようにするとともに、これらの量を正確に制御できる装置を備えることにより、セメントからコンクリートが一貫して、迅速に、しかも品質の高いものを得ることができる。前記コンクリート作製方法は、第２のミキシング工程および第３のミキシング工程をまとめて練り混ぜることも可能である。
【手続補正２０】
【補正対象書類名】明細書
【補正対象項目名】００３３
【補正方法】変更
【補正の内容】
【００３３】
（第５発明）
第５発明のコンクリート作製システムは、セメントペースト作製用混合槽、水量およびセメント量計量機構、前記セメントペースト作製用混合槽の回転機構、水量調整弁、水・セメント比制御装置とから少なくとも構成されている。前記セメントペースト作製用混合槽は、槽全体がゴム等からなる弾力性部材で構成され、セメントペーストを作製するためにミキシングを二回に分けて行っている。前記水量およびセメント量計量機構は、二回のミキシングに使用される水量等およびセメント量を所望の量とするためのものである。
【手続補正２１】
【補正対象書類名】明細書
【補正対象項目名】００３４
【補正方法】変更
【補正の内容】
【００３４】
前記回転機構は、前記セメントペースト作製用混合槽を高速で偏心回転させるため、セメントと水等がランダムに混練され、セメントボールが発生しない。また、水量調整弁は、水および減水剤を制御の基に投入量を徐々に増加、および全開して一度に投入することで、前記セメントペースト作製用混合槽に注水できるようにしている。さらに、水・セメント比制御装置は、前記セメントペースト作製用混合槽の回転制御と、水量調整弁の開閉制御を行うことができる。本発明のコンクリート作製システムは、弾性材料からなるセメントペースト作製用混合槽、前記混合槽の高速偏心回転、水量調整弁から出る適度の単位時間当たりの水量の三つの条件が相まって、セメントボールのできないセメントペーストを得ることができる。そして、前記コンクリート作製システムによって得られたコンクリートは、強度が高く、ブリーディングの発生が少なく、型枠に入れた後の蒸気養生における前置き時間を省略、または短時間とすることができる。
【手続補正２２】
【補正対象書類名】明細書
【補正対象項目名】００３５
【補正方法】変更
【補正の内容】
【００３５】
（第６発明）
第６発明のコンクリート作製システムは、第５発明のセメントペースト作製用混合槽の下段に細骨材および粗骨材とともに攪拌される生コンクリート本練り用混合槽が設けられている。すなわち、第１のミキシング工程および第２のミキシング工程によって作製されたセメントぺーストは、前記セメントペースト作製用混合槽の下部から直接または間接的に生コンクリート本練り用混合槽に挿入される。
【手続補正２３】
【補正対象書類名】明細書
【補正対象項目名】００３６
【補正方法】変更
【補正の内容】
【００３６】
（第７発明）
第７発明のコンクリート作製システムは、セメントペースト作製用混合槽の下段にセメントペースト搬送手段が設けられている点で、第５発明と異なっている。ダブルミキシングが終了したセメントペーストは、前記搬送手段の搬送を経て、細骨材および粗骨材とともに生コンクリート本練り用混合槽に挿入される。前記搬送手段は、搬送される時間、速さ、停止時間等を任意に変えることができる。
【手続補正２４】
【補正対象書類名】明細書
【補正対象項目名】００３７
【補正方法】変更
【補正の内容】
【００３７】
（第８発明）
第８発明のコンクリート作製システムは、水・セメント比制御装置として、駆動モータの負荷電流を検出する検出手段と、セメントぺースト作製用混合槽の回転駆動制御および水量調整弁の開閉制御を行うマイクロコンピュータとを備えている。前記水・セメント比制御装置は、たとえば、検出手段によって、セメントペースト作製用混合槽を駆動する駆動モータの最大負荷電流を検出する。また、前記マイクロコンピュータは、前記セメントペースト作製用混合槽の回転駆動制御、および水量調整弁の開閉制御を行う。
【手続補正２５】
【補正対象書類名】明細書
【補正対象項目名】００３８
【補正方法】変更
【補正の内容】
【００３８】
（第９発明）
第９発明のコンクリート作製システムは、水・セメント比制御装置として、駆動モータのトルクを検出する検出手段と、セメントぺースト作製用混合槽の回転駆動制御および水量調整弁の開閉制御を行うマイクロコンピュータとを備えている。前記水・セメント比制御装置は、たとえば、検出手段によって、セメントペースト作製用混合槽を駆動する駆動モータの最大トルクを検出する。また、前記マイクロコンピュータは、前記セメントペースト作製用混合槽の回転駆動制御、および水量調整弁の開閉制御を行う。
【手続補正２６】
【補正対象書類名】明細書
【補正対象項目名】００３９
【補正方法】変更
【補正の内容】
【００３９】
（第１０発明）
第１０発明のコンクリート作製システムにおいて、第５発明の水・セメント比制御装置は、予めメモリにセメントの種類、骨材の混合割合と種類、コンクリートの強度が記憶されている。前記マイクロコンピュータは、予めメモリに記憶されているデータを基にして、それぞれを設定することにより、前記セメントペースト作製用混合槽の回転駆動制御、および水量調整弁の開閉制御を行うことができる。
【手続補正２７】
【補正対象書類名】明細書
【補正対象項目名】００４０
【補正方法】変更
【補正の内容】
【００４０】
（第１１発明）
第１１発明のコンクリート作製システムは、メモリの記憶内容を表示装置に表示し、目的に合った強度、ブリーディングの程度、養生時間等を考慮したコンクリートを得ることができる。前記コンクリート作製システムの水・セメント比制御装置は、前記表示装置に、運転中および運転完了の表示ができるとともに、メモリの記憶内容、前記セメントペースト作製用混合槽の回転駆動制御状態、および水量調整弁の開閉制御状態が表示される。コンクリート作製システムの管理者は、前記表示装置を見ることにより、所望の硬さ、ブリーディング、養生時間等からなるコンクリートを得ることができる。
【手続補正２８】
【補正対象書類名】明細書
【補正対象項目名】００４１
【補正方法】変更
【補正の内容】
【００４１】
本発明によるプレキャストコンクリートは、第１発明から第１１発明によるコンクリート作製方法およびコンクリート作製システムによって作製された生コンクリートを型枠に投入し、養生および／または蒸気養生を用いて作製される。前記プレキャストコンクリートは、ブリーディングが少なく、所定の強度を有するものであり、信頼性が高いものである。